(57)【要約】      （修正有）【課題】再利用を容易にするマルチフィルム自動巻き取り機を提供する。【解決手段】原動機で回転駆動するマルチフィルム巻き取り機に於いて、マルチフィルムの両面に付着している付着物を除去する第一除去ローラーと、もう片面に付着している付着物を除去する第二除去ローラーと、両面の付着物を除去したマルチフィルムを巻き取るマルチフィルム巻き取り管と、前記の巻き取り管を装着する原動機に接続じた巻き取り軸とからなるマルチフィルム自動巻き取り機。【選択図】図１
0003140943.tif 000002
【実用新案登録請求の範囲】
【請求項１】
原動機で回転するマルチフィルム巻き取り機において、マルチフィルムの両面に付着している付着物を除去する第一除去ローラーと、もう片面に付着している付着物を除去する第二除去ローラーと、両面の付着物を除去したマルチフィルムを巻き取るマルチフィルム巻き取り管と、前記の巻き取り管を装着する原動機に接続した巻き取り軸とからなるマルチフィルム自動巻き取り機。
【請求項２】
前記、第一除去ローラー及び第二除去ローラーの表面がブラシ状の合成樹脂で覆われ、回転自在に配置していることを特徴とする、請求項１記載のマルチフィルム自動巻き取り機。
【請求項３】
前記、原動機はクラッチが内蔵されていることを特徴とする、請求項１及び請求項２記載のマルチフィルム自動巻き取り機。
【考案の詳細な説明】
【技術分野】
【０００１】
本考案はマルチフィルム再々利用巻き取り機に係り、特に農業地域に於いては非常にマルチフィルムの使い捨ての状態で、中でもマルチ栽培が非常に多く見られる現在再度使用出来るよう巻き取り機を提供する。
【背景技術】
【０００２】
従来、畝に被せられているマルチフィルムを使用後は手作業で丸めて回収し、再度使用する際、手作業でシワを伸ばしながら作業を行い能率も上がらない状況であり、使用後は宅地や空き地で焼却処分する。
【考案の開示】
【考案が解決しようとする課題】
【０００３】
マルチフィルム巻き取りにおいて、従来は手作業であり、現在はマルチの面積も膨大になり、使い捨ての状態で再度使用するときはマルチフィルムの塵、泥等排除し又シワを手作業で伸ばしながら行うため時間と労力が必要になるので、焼却処分するその状況下で社会環境が煩雑になっているという問題がある。
【０００４】
原動機で回転駆動するマルチフィルム巻き取り機に於いて、マルチフィルムの両面に付着している付着物を除去する第一除去ローラーと、もう片面に付着している付着物を除去する第二除去ローラーと、両面の付着物を除去したマルチフィルムを巻き取るマルチフィルム巻き取り管と、前記の巻き取り管を装着する原動機に接続した巻き取り軸とからなるマルチフィルム自動巻き取り機。
【課題を解決するための手段】
【０００５】
前記、第一除去ローラー及び第二除去ローラーの表面がブラシ状の合成樹脂で覆われ、回転自在に配置していることを特徴とする、マルチフィルム自動巻き取り機と前記、原動機はクラッチが内蔵されていることを特徴とする、マルチフィルム自動巻き取り機。
【考案の効果】
【０００６】
本考案は、上記の問題点に鑑みて、再利用を容易にするための新しいマルチフィルム巻き取り機であり、従来は使用後空き地等で廃棄していたが、マルチフィルム自動巻き取り機で巻き取ったマルチフィルムを平高うねマルチ整形機に乗せ換えると再度使用でき、マルチの丸い穴をそのまま使用できるため、経費削減、労力軽減等に役立つものである。
【０００７】
第一除去ローラー及び第二除去ローラーの表面がブラシ状で回転しているためマルチフィルムの両面に付着した、塵、泥等を排除しながら能率よく巻き取りできる。
【０００８】
原動機にクラッチを内蔵することで負荷の調整ができエンストの防止と、再始動の際もスムーズに効率的又安全に巻き取りできる。
【０００９】
図面を参照して、図１は全体図、図２はマルチフィルム巻き取り図、図３は原動機と巻き取り機の連結図、マルチフィルム巻き取り機の内容を説明する。
【００１０】
図１は、自動巻き取り機の全体の構成を示す図であり、この図１は原動機を持ってプリー１に連結し巻き取りシャフト５に始動し、紙管４にマルチフィルム巻き取り、マルチフィルムは第一除去ローラー１３と第二除去ローラー１０を通り、両面の塵、泥等を排除し紙管４でマルチフィルムを巻き取る。
【００１１】
図１の巻き取りシャフト５は直径３６ｍｍで、円滑に回転できるように直径３８ｍｍのソケット２を挿入し、バンド６ｂ、６ａをボルト６で上下固定し、左右の移動を止め金３で最小限にし、ソケット７においても直径３８ｍｍで固定するため、バンド６ａをボルト６で固定する事で安全に巻き取りができる。
【００１２】
巻き取り紙管４を挿入した状態で、巻き取りを開始すると空回転するので、紙管を固定するため、シャフト５に２箇所に長尺合わせをして細穴をあけ、図２のボルト１４ボルト１５で紙管を固定することにより安定し効率的に作業ができる。
【００１３】
図２はマルチフィルム巻き取り１６の作業経過の状態で、図１のボルト６を緩めるとバンド６ａ、６ｂが上に開くので、作業終了後矢印方向に引くと簡単に抜き取る事ができる。
【００１４】
本体８は四角鉄骨１００ｍｍ×５０ｍｍを使用し、高さ９２０ｍｍ、幅１８００ｍｍを使用することで安全に保たれ、また直径２８ｍｍの丸管９と丸管１１等以外の箇所についても直径２８ｍｍの丸管で横揺れ、縦揺れの補強することで安定感が保たれる。
【００１５】
図１は第一除去ローラー１３と第二除去ローラー１０は表面がブラシ状の合成樹脂で覆われており、塵、泥等を排除しながら整列よくマルチフィルムを巻き取りでき、本体の高立安定を保つため丸鉄板１２を使用し、安全を主とし、体系で巻き取りが整列よくできる。
【００１６】
図３はＶプリー１を使用しＶベルト２０を使用することで、作業中安全で効果的であり、原動機２１にクラッチ内蔵されているので、停止又は始動も容易に調整できる。
【００１７】
原動機２１を搭載し、回転調整機具２６は回転又は巻き取り時に操作を容易に簡単にできる、原動機安定台２２を持ってプリー１に連結を簡単に操作可能である。
【００１８】
Ｖプリー１と原動機２１はベルトの位置を簡単に移動出来るように設定し、原動機の安定台２２は鉄骨Ｌ幅４０ｍｍを使用することで安定する。
【００１９】
図１はマルチフィルムを巻き取り、シャフト５に紙管４を挿入し回転するので、ソケット７を使用することで左右の移動を抑制し安定した状態で第一除去ローラー１３と第二除去ローラー１０がその間回転することにより、両面の塵、泥等を取り除くために必要不可欠であり、図２のマルチフィルムに丸い穴１８は一度使用したマルチフィルムを再度巻き取りして使用することで経費削減、労力削減が可能である。
【００２０】
図３は原動機２１とＶプリー１との位置連結を円滑にし、ボルト固定板２３ボルト２４はＶプリー１と原動機２１とのベルト張りを簡単に調整を可能にするため、調整の際は原動機の安定台２２が自由又簡単に上下し、回転調整機具２６は作業中整列の良くない時など、素早く原動機の回転調整を行うことができる。
【図面の簡単な説明】
【００２１】
【図１】本考案を適用したマルチフィルム自動巻き取り機を示す図である。
【図２】本考案は、マルチフィルム自動巻き取りを示す図である。
【図３】本考案は、原動機と巻き取り機を示す図である。
【符号の説明】
【００２２】
１          Ｖプリー
２，７      ソケット
３          左右移動止め金
４          巻き取り紙管
５          マルチフィルム巻き取りシャフト
６          ボルト
６ａ，６ｂ  バンド
８          本体四角鉄骨
９，１１    本体補強丸管
１０        第二除去ローラー  マルチフィルム塵、泥等排除する
１２        高立安定板
１３        第一除去ローラー  マルチフィルム塵、泥等排除する
１４，１５  巻き取り紙管止めボルト
２０        Ｖベルト
２１        原動機
２２        原動機安定台鉄骨
２３        ボルト固定板
２４        ベルト張り調整ボルト
２６        回転調整機具
【図１】
0003140943.tif 000003
【図２】
0003140943.tif 000004
【図３】
0003140943.tif 000005